(57)【特許請求の範囲】
【請求項１】
無線通信システム内の機器間通信（Ｍ２Ｍ）機器においてマルチキャストデータを受信する方法であって、
前記方法は、
前記Ｍ２Ｍ機器のページング聴取区間の間に基地局からページングメッセージを受信することであって、前記ページングメッセージは、マルチキャストトラフィックの受信を指示するマルチキャストトラフィック指示子を含む、ことと、
前記基地局からマルチキャストデータを受信することと、
前記基地局から、前記マルチキャストデータが最後のマルチキャスト伝送に対応することを指示する信号、または、マルチキャストデータ伝送の終了を指示する信号を含むメッセージを受信することと、
前記メッセージを受信した際に、ページング利用不可区間に入ることと
を含み、
前記ページングメッセージは、マルチキャスト伝送開始時間をさらに含み、前記マルチキャストデータは、前記マルチキャスト伝送開始時間に受信され、
前記マルチキャスト伝送開始時間は、前記基地局が前記マルチキャストデータを伝送することを開始するフレーム番号の最下位８ビットとしてシグナリングされる、方法。
【請求項２】
前記マルチキャストトラフィック指示子は、０ｂ１０に設定される、請求項１に記載の方法。
【請求項３】
前記マルチキャスト伝送開始時間によって指示されたフレームまではパワーダウン状態で動作することをさらに含む、請求項１に記載の方法。
【請求項４】
前記メッセージは、前記Ｍ２Ｍ機器に対応するＭ２Ｍグループ識別子（ＩＤ）（ＭＧＩＤ）をさらに含む、請求項１に記載の方法。
【請求項５】
前記メッセージは、前記Ｍ２Ｍ機器に対応するＭ２Ｍ接続識別子（Ｍ２ＭＣＩＤ）をさらに含む、請求項１に記載の方法。
【請求項６】
前記メッセージは、ＡＡＩ−ＭＴＥ−ＩＮＤメッセージである、請求項１に記載の方法。
【請求項７】
前記メッセージは、ＭＯＢ＿ＭＴＥ−ＩＮＤメッセージである、請求項１に記載の方法。
【請求項８】
前記メッセージは、マルチキャスト割当Ａ−ＭＡＰ  ＩＥまたはブロードキャスト割当Ａ−ＭＡＰ  ＩＥによって送信される、請求項１に記載の方法。
【請求項９】
無線通信システム内の基地局においてマルチキャストデータを伝送する方法であって、
前記方法は、
機器間通信（Ｍ２Ｍ）機器のページング聴取区間の間に前記Ｍ２Ｍ機器にページングメッセージを伝送することであって、前記ページングメッセージは、マルチキャストトラフィックの受信を指示するマルチキャストトラフィック指示子を含む、ことと、
前記Ｍ２Ｍ機器にマルチキャストデータを伝送することと、
前記基地局から、前記マルチキャストデータが最後のマルチキャスト伝送に対応することを指示する信号、または、マルチキャストデータ伝送の終了を指示する信号を含むメッセージを伝送することと
を含み、
前記ページングメッセージは、マルチキャスト伝送開始時間をさらに含み、前記マルチキャストデータは、前記マルチキャスト伝送開始時間に伝送され、
前記マルチキャスト伝送開始時間は、前記基地局が前記マルチキャストデータを伝送することを開始するフレーム番号の最下位８ビットとしてシグナリングされる、方法。
【請求項１０】
前記ページングメッセージは、前記Ｍ２Ｍ機器に対応するＭ２Ｍグループ識別子（ＩＤ）（ＭＧＩＤ）をさらに含む、請求項９に記載の方法。
【請求項１１】
前記ページングメッセージは、前記Ｍ２Ｍ機器に対応するＭ２Ｍ接続識別子（Ｍ２ＭＣＩＤ）をさらに含む、請求項９に記載の方法。
【請求項１２】
無線通信システム内でマルチキャストデータを受信する機器間通信（Ｍ２Ｍ）機器であって、
前記Ｍ２Ｍ機器は、
ＲＦ（Ｒａｄｉｏ  Ｆｒｅｑｕｅｎｃｙ）モジュールと、
前記ＲＦモジュールを制御するように構成されたプロセッサと
を含み、
前記プロセッサは、
前記ＲＦモジュールを用いて、前記Ｍ２Ｍ機器のページング聴取区間の間に基地局からページングメッセージを受信することであって、前記ページングメッセージは、マルチキャストトラフィックの受信を指示するマルチキャストトラフィック指示子を含む、ことと、
前記ＲＦモジュールを用いて、前記基地局からマルチキャストデータを受信することと、
前記ＲＦモジュールを用いて、前記基地局から、前記マルチキャストデータが最後のマルチキャスト伝送に対応することを指示する信号、または、マルチキャストデータ伝送の終了を指示する信号を含むメッセージを受信することと、
前記メッセージを受信した際に、ページング利用不可区間に入ることと
を行うように構成されており、
前記ページングメッセージは、マルチキャスト伝送開始時間をさらに含み、前記マルチキャストデータは、前記マルチキャスト伝送開始時間に受信され、
前記マルチキャスト伝送開始時間は、前記基地局が前記マルチキャストデータを伝送することを開始するフレーム番号の最下位８ビットとしてシグナリングされる、Ｍ２Ｍ機器。
【請求項１３】
前記プロセッサは、さらに、前記マルチキャスト伝送開始時間によって指示されたフレームまではパワーダウン状態で動作することを制御するように構成されている、請求項１２に記載のＭ２Ｍ機器。
【請求項１４】
無線通信システム内でマルチキャストデータを伝送する基地局であって、
前記基地局は、
ＲＦ（Ｒａｄｉｏ  Ｆｒｅｑｕｅｎｃｙ）モジュールと、
前記ＲＦモジュールを制御するように構成されたプロセッサと
を含み、
前記プロセッサは、
前記ＲＦモジュールを用いて、機器間通信（Ｍ２Ｍ）機器のページング聴取区間の間に前記Ｍ２Ｍ機器にページングメッセージを伝送することであって、前記ページングメッセージは、マルチキャストトラフィックの受信を指示するマルチキャストトラフィック指示子を含む、ことと、
前記ＲＦモジュールを用いて、前記Ｍ２Ｍ機器にマルチキャストデータを伝送することと、
前記ＲＦモジュールを用いて、前記Ｍ２Ｍ機器に、前記マルチキャストデータが最後のマルチキャスト伝送に対応することを指示する信号、または、マルチキャストデータ伝送の終了を指示する信号を含むメッセージを伝送することと
を行うように構成されており、
前記ページングメッセージは、マルチキャスト伝送開始時間をさらに含み、前記マルチキャストデータは、前記マルチキャスト伝送開始時間に伝送され、
前記マルチキャスト伝送開始時間は、前記基地局が前記マルチキャストデータを伝送することを開始するフレーム番号の最下位８ビットとしてシグナリングされる、基地局。
【発明の詳細な説明】
【技術分野】
【０００１】
本発明は、無線通信に係り、特に、マルチキャストデータを受信する方法及びそのためのＭ２Ｍ機器に関する。
【背景技術】
【０００２】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置同士の有線あるいは無線通信や、人が制御する装置と機械間の通信のことを意味する。しかし、最近では、電子装置と電子装置間、すなわち、人の関与なしに行われる機器間無線通信を指すのが一般的である。
【０００３】
Ｍ２Ｍ通信は、その概念が初めて導入された１９９０年代初期には、遠隔調整やテレマティックスレベルの概念として認識されたし、派生する市場自体も非常に限定されていたが、ここ数年間高速成長を重ねながら、全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００４】
Ｍ２Ｍ通信時代には、ＳＩＭ（Ｓｕｂｓｃｒｉｂｅｒ  Ｉｄｅｎｔｉｔｙ  Ｍｏｄｕｌｅ）カードを装着したいかなる機械もデータ送受信可能になり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００５】
従来では、端末を個別単位に管理するのが一般的であり、基地局と端末間通信も一対一通信方式で行われていた。このような一対一通信方式で数多くのＭ２Ｍ機器が基地局と通信するとすると、各Ｍ２Ｍ機器と基地局間に発生するシグナリングによるネットワーク過負荷が予想される。上述したように、Ｍ２Ｍ通信が急に拡散され広範囲化する場合、それＭ２Ｍ機器同士間、又は各Ｍ２Ｍ機器と基地局間の通信によるオーバーヘッド（ｏｖｅｒｈｅａｄ）が問題になることがある。
【０００６】
一方、それらＭ２Ｍ機器に基地局がマルチキャストデータを伝送する必要がある場合もあるが、基地局が各Ｍ２Ｍ機器の特性を考慮してマルチキャストを伝送する方法及び該マルチキャストを效率よく受信する具体的方法は未だ提示されていない現状である。
【発明の概要】
【発明が解決しようとする課題】
【０００７】
本発明で達成しようとする技術的課題は、無線通信システムにおいてＭ２Ｍ機器がマルチキャストデータを受信する方法を提供することである。
【０００８】
本発明で達成しようとする他の技術的課題は、無線通信システムにおいてマルチキャストデータを受信するＭ２Ｍ機器を提供することである。
【０００９】
本発明で達成しようとする技術的課題は、以上に言及した技術的課題に制限されるものではなく、言及していない他の技術的課題は、下の記載から、本発明の属する技術の分野における通常の知識を有する者には明らかになるであろう。
【課題を解決するための手段】
【００１０】
上記の技術的課題を達成するための、無線通信システムにおいてＭ２Ｍ（Ｍａｃｈｉｎｅ  ｔｏ  Ｍａｃｈｉｎｅ）機器がマルチキャスト（ｍｕｌｔｉｃａｓｔ）データ受信する方法は、基地局からマルチキャストデータを受信することと、前記基地局から、前記マルチキャストデータが最後のマルチキャスト伝送であることを指示したり、又はマルチキャスト伝送終了を指示する信号を含む情報を受信することと、を含むことができる。前記情報は、前記マルチキャストデータと共に、又は前記マルチキャストデータとは別に伝送されてもよく、前記情報が前記マルチキャストデータと共に伝送される場合には、前記マルチキャストデータにＭＯＢ＿ＭＴＥ−ＩＮＤメッセージフォーマットでピギーバック（ｐｉｇｇｙｂａｃｋ）されて伝送されるとよい。前記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送されてもよい。前記情報が前記マルチキャストデータとは別に伝送される場合には、ＭＡＣ制御メッセージ、シグナリングヘッダー又は物理層シグナリングにより伝送されてもよく、前記ＭＡＣ制御メッセージはＡＡＩ−ＭＴＥ−ＩＮＤメッセージフォーマットやＭＯＢ＿ＭＴＥ−ＩＮＤメッセージフォーマットで、前記シグナリングヘッダーはマルチキャスト伝送終了指示ヘッダー（ｍｕｌｔｉｃａｓｔ  ｔｒａｎｓｍｉｓｓｉｏｎ  ｅｎｄ  ｉｎｄｉｃａｔｉｏｎ  ｈｅａｄｅｒ）、前記物理層シグナリングはマルチキャスト伝送終了指示Ａ−ＭＡＰ  ＩＥ（ｍｕｌｔｉｃａｓｔ  ｔｒａｎｓｍｉｓｓｉｏｎ  ｅｎｄ  ｉｎｄｉｃａｔｉｏｎ  Ａ−ＭＡＰ  ＩＥ）又は放送割当Ａ−ＭＡＰ  ＩＥ（Ｂｒｏａｄｃａｓｔ  Ａｓｓｉｇｎｍｅｎｔ  Ａ−ＭＡＰ  ＩＥ）でよい。
【００１１】
前記方法は、前記情報に基づいて利用不可区間（ｕｎａｖａｉｌａｂｌｅ  ｉｎｔｅｒｖａｌ）又は遊休モード（ｉｄｌｅ  ｍｏｄｅ）に入ることをさらに含んでもよい。
【００１２】
前記方法は、Ｍ２Ｍグループ識別子（Ｉｄｅｎｔｉｆｉｅｒ、ＩＤ）と前記マルチキャストデータ伝送を指示する指示子とを含むページングメッセージを受信することをさらに含み、前記Ｍ２ＭグループＩＤが前記Ｍ２Ｍ機器に該当すると、前記Ｍ２ＭグループＩＤに基づいて前記マルチキャストデータ及び前記情報を受信することができる。
【００１３】
前記方法は、前記基地局から前記マルチキャストデータの伝送開始に関する情報を受信することをより含んでもよく、前記マルチキャストデータの伝送開始に関する情報に基づいて前記マルチキャストデータを受信することができる。
【００１４】
上記の他の技術的課題を達成するための、無線通信システムにおいてマルチキャスト（ｍｕｌｔｉｃａｓｔ）データを受信するＭ２Ｍ（Ｍａｃｈｉｎｅ  ｔｏ  Ｍａｃｈｉｎｅ）機器は、基地局からマルチキャストデータを受信し、前記基地局から、前記マルチキャストデータが最後のマルチキャスト伝送であることを指示したり、又はマルチキャスト伝送終了を指示する信号を含む情報を受信する受信器を備えることができる。前記情報は、前記マルチキャストデータと共に、又は前記マルチキャストデータとは別に伝送される。前記情報が前記マルチキャストデータと共に伝送される場合には、前記マルチキャストデータにピギーバック（ｐｉｇｇｙｂａｃｋ）されて伝送されるとよい。前記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送されてもよい。前記情報が前記マルチキャストデータとは別に伝送される場合には、ＭＡＣ制御メッセージ、シグナリングヘッダー又は物理層シグナリングにより伝送されるとよい。
【００１５】
前記Ｍ２Ｍ機器は、前記情報に基づいて利用不可区間（ｕｎａｖａｉｌａｂｌｅ  ｉｎｔｅｒｖａｌ）又は遊休モード（ｉｄｌｅ  ｍｏｄｅ）に入るように制御するプロセッサをさらに備えることができる。
【発明の効果】
【００１６】
本発明に係る様々な実施例によれば、Ｍ２Ｍ機器にマルチキャストトラフィックを伝送する時に、Ｍ２Ｍ機器と基地局間の無駄なシグナリングオーバーヘッドをなくし、Ｍ２Ｍ機器の電力消耗を最小化し、リソース浪費を抑えることができる。
【００１７】
本発明から得られる効果は、以上に言及した効果に制限されず、言及していない別の効果は、下の記載から、本発明の属する技術の分野における通常の知識を有する者には明らかになるであろう。
本発明は、例えば、以下を提供する。
（項目１）
無線通信システムにおいてＭ２Ｍ（Ｍａｃｈｉｎｅ  ｔｏ  Ｍａｃｈｉｎｅ）機器がマルチキャスト（ｍｕｌｔｉｃａｓｔ）データを受信する方法であって、
基地局からマルチキャストデータを受信することと、
上記基地局から、上記マルチキャストデータが最後のマルチキャスト伝送であることを指示したり、又はマルチキャスト伝送終了を指示する信号を含む情報を受信すること、
とを含む、マルチキャストデータ受信方法。
（項目２）
上記情報は、上記マルチキャストデータと共に、又は上記マルチキャストデータとは別に伝送される、項目１に記載のマルチキャストデータ受信方法。
（項目３）
上記情報が上記マルチキャストデータと共に伝送される場合には、上記マルチキャストデータにピギーバック（ｐｉｇｇｙｂａｃｋ）されて伝送される、項目２に記載のマルチキャストデータ受信方法。
（項目４）
上記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送される、項目３に記載のマルチキャストデータ受信方法。
（項目５）
上記情報が上記マルチキャストデータとは別に伝送される場合には、ＭＡＣ制御メッセージ、シグナリングヘッダー又は物理層シグナリングにより伝送される、項目２に記載のマルチキャストデータ受信方法。
（項目６）
上記ＭＡＣ制御メッセージは、ＡＡＩ−ＭＴＥ−ＩＮＤメッセージフォーマット又はＭＯＢ＿ＭＴＥ−ＩＮＤメッセージフォーマットである、項目５に記載のマルチキャストデータ受信方法。
（項目７）
上記シグナリングヘッダーは、マルチキャスト伝送終了指示ヘッダー（ｍｕｌｔｉｃａｓｔ  ｔｒａｎｓｍｉｓｓｉｏｎ  ｅｎｄ  ｉｎｄｉｃａｔｉｏｎ  ｈｅａｄｅｒ）である、項目５に記載のマルチキャストデータ受信方法。
（項目８）
上記物理層シグナリングは、マルチキャスト伝送終了指示Ａ−ＭＡＰ  ＩＥ（ｍｕｌｔｉｃａｓｔ  ｔｒａｎｓｍｉｓｓｉｏｎ  ｅｎｄ  ｉｎｄｉｃａｔｉｏｎ  Ａ−ＭＡＰ  ＩＥ）又は放送割当Ａ−ＭＡＰ  ＩＥ（Ｂｒｏａｄｃａｓｔ  Ａｓｓｉｇｎｍｅｎｔ  Ａ−ＭＡＰ  ＩＥ）である、項目５に記載のマルチキャストデータ受信方法。
（項目９）
上記情報に基づいて利用不可区間（ｕｎａｖａｉｌａｂｌｅ  ｉｎｔｅｒｖａｌ）又は遊休モード（ｉｄｌｅ  ｍｏｄｅ）に入ること、をさらに含む、項目１に記載のマルチキャストデータ受信方法。
（項目１０）
Ｍ２Ｍグループ識別子（Ｉｄｅｎｔｉｆｉｅｒ、ＩＤ）と上記マルチキャストデータ伝送を指示する指示子とを含むページングメッセージを受信すること、をさらに含み、
上記Ｍ２ＭグループＩＤが上記Ｍ２Ｍ機器に該当すると、上記Ｍ２ＭグループＩＤに基づいて上記マルチキャストデータ及び上記情報を受信する、項目１に記載のマルチキャストデータ受信方法。
（項目１１）
上記基地局から、上記マルチキャストデータの伝送開始に関する情報を受信すること、をさらに含み、
上記マルチキャストデータの伝送開始に関する情報に基づいて上記マルチキャストデータを受信する、項目１０に記載のマルチキャストデータ受信方法。
（項目１２）
無線通信システムにおいてマルチキャスト（ｍｕｌｔｉｃａｓｔ）データを受信するＭ２Ｍ（Ｍａｃｈｉｎｅ  ｔｏ  Ｍａｃｈｉｎｅ）機器であって、
基地局からマルチキャストデータを受信し、
上記基地局から、上記マルチキャストデータが最後のマルチキャスト伝送であることを指示したり、又はマルチキャスト伝送終了を指示する信号を含む情報を受信する、受信器を備える、Ｍ２Ｍ機器。
（項目１３）
上記情報は、上記マルチキャストデータと共に、又は上記マルチキャストデータとは別に伝送される、項目１２に記載のＭ２Ｍ機器。
（項目１４）
上記情報が上記マルチキャストデータと共に伝送される場合には、上記マルチキャストデータにピギーバック（ｐｉｇｇｙｂａｃｋ）されて伝送される、項目１３に記載のＭ２Ｍ機器。
（項目１５）
上記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送される、項目１４に記載のＭ２Ｍ機器。
（項目１６）
上記情報が上記マルチキャストデータとは別に伝送される場合には、ＭＡＣ制御メッセージ、シグナリングヘッダー又は物理層シグナリングにより伝送される、項目１３に記載のＭ２Ｍ機器。
（項目１７）
上記情報に基づいて利用不可区間（ｕｎａｖａｉｌａｂｌｅ  ｉｎｔｅｒｖａｌ）又は遊休モード（ｉｄｌｅ  ｍｏｄｅ）に入るように制御するプロセッサをさらに備える、項目１２に記載のＭ２Ｍ機器。
（項目１８）
上記受信器は、Ｍ２Ｍグループ識別子（Ｉｄｅｎｔｉｆｉｅｒ、ＩＤ）と上記マルチキャストデータ伝送を指示する指示子とを含むページングメッセージを上記基地局からさらに受信し、上記Ｍ２ＭグループＩＤが上記Ｍ２Ｍ機器に該当すると、上記Ｍ２ＭグループＩＤに基づいて上記マルチキャストデータ及び上記情報を受信する、項目１２に記載のＭ２Ｍ機器。
（項目１９）
上記受信器は、上記基地局から上記マルチキャストデータの伝送開始に関する情報をさらに受信し、上記マルチキャストデータの伝送開始に関する情報に基づいて上記マルチキャストデータを受信する、項目１８に記載のＭ２Ｍ機器。
【図面の簡単な説明】
【００１８】
本発明に関する理解を助けるために詳細な説明の一部として含まれる添付図面は、本発明に係る実施例を提供し、詳細な説明と共に本発明の技術的思想を説明する。
【図１】図１は、本発明の一実施形態に係るＭ２Ｍ機器及び基地局などの装置構成を概略的に説明するための図である。
【図２】図２は、遊休モードでページング手順を示すフローチャートである。
【図３】図３は、本発明の一実施例に係るＭ２Ｍ機器と基地局間のマルチキャストデータ伝送の例を示す図である。
【図４】図４は、本発明の一実施例に係るＭ２Ｍ機器と基地局間のマルチキャストデータ伝送の他の例を示す図である。
【図５Ａ】図５Ａ及び図５Ｂは、本発明の一実施例に係るＭ２Ｍ機器と基地局間のマルチキャストデータ伝送の他の例を示す図である。
【図５Ｂ】図５Ａ及び図５Ｂは、本発明の一実施例に係るＭ２Ｍ機器と基地局間のマルチキャストデータ伝送の他の例を示す図である。
【図６】図６は、本発明の一実施例に係るＭ２Ｍ機器と基地局間のマルチキャストデータ伝送の他の例を示す図である。
【図７】図７は、本発明の一実施例に係るＭ２Ｍ機器と基地局間のマルチキャストデータ伝送の他の例を示す図である。
【図８】図８は、本発明の一実施例に係るＭ２Ｍ機器と基地局間のマルチキャストデータ伝送の他の例を示す図である。
【図９】図９は、本発明の一実施例に係るＭ２Ｍ機器と基地局間のマルチキャストデータ伝送の他の例を示す図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムがＩＥＥＥ  ８０２．１６システムである場合を取り上げて説明するが、ＩＥＥＥ  ８０２．１６システム特有の事項以外は、他の任意の無線通信システムにも同様の適用が可能である。
【００２０】
場合によっては、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２１】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端機器を総称し、また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などの、端末と通信するネットワーク端の任意のノードを総称するものとする。
【００２２】
移動通信システムにおいて、端末（Ｕｓｅｒ  Ｅｑｕｉｐｍｅｎｔ）は、基地局からダウンリンク（Ｄｏｗｎｌｉｎｋ）で情報を受信し、基地局にアップリンク（Ｕｐｌｉｎｋ）で情報を伝送することができる。端末が伝送又は受信する情報にはデータ及び種々の制御情報があり、端末が伝送又は受信する情報の種類用途に応じて様々な物理チャネルが存在する。
【００２３】
以下、Ｍ２Ｍ機器間の通信は、基地局を介した、端末同士、又は人の介入のない基地局と端末間で行う通信形態を意味する。したがって、Ｍ２Ｍ機器（Ｄｅｖｉｃｅ）は、上記のようなＭ２Ｍ機器の通信の支援が可能な端末を意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するのに一つ以上の特徴が必要な場合がある。Ｍ２Ｍ機器グループは、共通の一つ以上の特徴を共有するＭ２Ｍ機器のグループを意味する。
【００２４】
Ｍ２Ｍ方式で通信する機器（Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器などのように様々に呼ばれてもよい。）は、それらの機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加することになる。議論されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視映像（Ｓｕｒｖｅｉｌｌａｎｃｅ  Ｖｉｄｅｏ）通信などがあるが、これらに限定されるものではなく、その他様々な機器アプリケーションタイプが議論されている。
【００２５】
Ｍ２Ｍ機器の他の特性に、低い移動性或いは無移動性がある。非常に移動性が低い、或いは移動性がないということは、Ｍ２Ｍ機器は長時間固定（ｓｔａｔｉｏｎａｒｙ）しているという意味である。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定した位置を持つ特定Ｍ２Ｍアプリケーションのための移動性−関連動作を単純化又は最適化するとよい。
【００２６】
このように、機器アプリケーションタイプが増加するに従ってＭ２Ｍ通信機器の数は、一般移動通信機器の数に比べて飛躍的に増加するはずである。したがって、これら機器の全てがそれぞれ個別的に基地局と通信を行うと、無線インターフェース、ネットワークに深刻な負荷を招くことがある。
【００２７】
以下では、Ｍ２Ｍ通信が無線通信システム（例えば、ＩＥＥＥ  ８０２．１６ｅ／ｍ）に適用される場合を取り上げて本発明の実施例を説明する。しかし、本発明はこれに限定されるものではなく、本発明の実施例は、３ＧＰＰ  ＬＴＥシステムなどの他のシステムにも同様の方式で適用可能である。。
【００２８】
図１は、本発明の一実施形態に係るＭ２Ｍ機器及び基地局などの装置構成を概略的に説明するための図である。
【００２９】
図１で、Ｍ２Ｍ機器１００（あるいは、Ｍ２Ｍ通信機器と呼ぶこともできるが、以下では、Ｍ２Ｍ機器と呼ぶ）及び基地局１５０は、それぞれ、ＲＦユニット１１０，１６０、プロセッサ１２０，１７０、及び選択的にメモリー１３０，１８０を備えることができる。そして、各ＲＦユニット１１０，１６０は、送信器１１１，１６１及び受信器１１２，１６２を備えることができる。Ｍ２Ｍ機器１００の例えば、送信器１１１及び受信器１１２は、基地局１５０及び他のＭ２Ｍ機器と信号を送信及び受信するように構成され、プロセッサ１２０は、送信器１１１及び受信器１１２と機能的に接続され、送信器１１１及び受信器１１２が他の機器と信号を送受信する過程を制御するように構成されるとよい。また、プロセッサ１２０は、伝送すべき信号に対する各種処理を行ったのち送信器１１１に伝送し、且つ受信器１１２が受信した信号に対する処理を行うことができる。必要な場合、プロセッサ１２０は、交換したメッセージに含まれた情報をメモリー１３０に保存してもよい。このような構造により、Ｍ２Ｍ機器１００は、以下に説明する種々の実施形態の方法を実行することができる。一方、図１には図示せぬが、Ｍ２Ｍ機器１００は、その機器アプリケーションタイプによって種々の追加構成を備えてもよい。Ｍ２Ｍ機器１００が知能型計量のためのものであれば、Ｍ２Ｍ機器１００は電力測定などのための追加的な構成を備えることができ、このような電力測定動作は、図１におけるプロセッサ１２０の制御を受けてもよく、別個に構成されたプロセッサ（図示せず）の制御を受けてもよい。
【００３０】
図１は、Ｍ２Ｍ機器１００と基地局１５０との間に通信が行われる場合を例示しているが、本発明に係るＭ２Ｍ通信方法はＭ２Ｍ機器同士に行われてもよく、この場合、それぞれの機器は、同図における各装置構成と同じ形態により、以下に説明する種々の実施形態に係る方法を実行すればよい。
【００３１】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続され、送信器１６１及び受信器１６２が他の機器と信号を送受信する過程を制御するように構成されるとよい。また、プロセッサ１７０は、伝送する信号に対する各種処理を行ったのち送信器１６１に伝送し、且つ受信器１６２が受信した信号に対する処理を行うことができる。必要な場合、プロセッサ１７０は、交換されたメッセージに含まれた情報をメモリー１３０に保存してもよい。このような構造により、基地局１５０は、以下に説明する種々の実施形態の方法を行うことができる。
【００３２】
Ｍ２Ｍ機器１１０及び基地局１５０のそれぞれのプロセッサ１２０，１７０は、それぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０と接続可能である。メモリー１３０，１８０は、プロセッサ１２０，１７０に接続してオペレーティングシステム、アプリケーション、及び一般ファイル（ｇｅｎｅｒａｌ  ｆｉｌｅｓ）を保存する。
【００３３】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１２０，１７０は、ハードウェア（ｈａｒｄｗａｒｅ）、ファームウェア（ｆｉｒｍｗａｒｅ）、ソフトウェア、又はこれらの結合により実現可能である。ハードウェアを用いて本発明の実施例を実現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に設けられるとよい。
【００３４】
一方、ファームウェアやソフトウェアを用いて本発明の実施例を実現する場合には、本発明の機能又は動作を行うモジュール、手順又は関数などを含むようにファームウェアやソフトウェアが構成されるとよく、本発明を実行するように構成されたファームウェア又はソフトウェアは、プロセッサ１２０，１７０内に設けられたり、メモリー１３０，１８０に保存されて、プロセッサ１２０，１７０により駆動されればよい。
【００３５】
以下にいう遊休モード（Ｉｄｌｅ  Ｍｏｄｅ）とは、端末の電力を節約するために、端末と基地局間のシグナリングを用いて、基地局が承認したページンググループ（Ｐａｇｉｎｇ  Ｇｒｏｕｐ）、ページングサイクル（Ｐａｇｉｎｇ  Ｃｙｃｌｅ）、ページングオフセット（Ｐａｇｉｎｇ  Ｏｆｆｓｅｔ）を運用するモードのことである。すなわち、端末が広範囲な地域にわたって複数の基地局がある無線リンク環境を歩き回っても、特定基地局に登録することなく周期的にダウンリンクブロードキャスト（ｂｒｏａｄｃａｓｔ）メッセージを受信し得るメカニズムである。
【００３６】
遊休モードは、ハンドオーバー（ｈａｎｄｏｖｅｒ、ＨＯ）だけでなく、全ての正規動作（ｎｏｒｍａｌ  ｏｐｅｒａｔｉｏｎ）を停止し、一定区間でのみ、ブロードキャストメッセージであるページングメッセージ（ｐａｇｉｎｇ  ｍｅｓｓａｇｅ）を受信し得るようにダウンリンク同期（ｄｏｗｎｌｉｎｋ  ｓｙｎｃｈｒｏｎｉｚａｔｉｏｎ）のみを取っておいた状態である。ページングメッセージは、端末にページング動作（ｐａｇｉｎｇａ  ｃｔｉｏｎ）を指示するメッセージである。例えば、ページング動作には、レンジング実行、ネットワーク再進入（ｎｅｔｗｏｒｋ  ｒｅｅｎｔｒｙ）などがある。
【００３７】
遊休モードは、端末により開始されることも、基地局により開始されることもある。すなわち、端末は、登録解除要請（ＤＲＥＧ−ＲＥＱ）メッセージを基地局に伝送し、それに対する応答として登録解除応答（ＤＲＥＧ−ＲＳＰ）メッセージを基地局から受信することによって、遊休モードに進入することができる。また、基地局が端末に非要請の登録解除応答（ＤＲＥＧ−ＲＳＰ）メッセージ又は登録解除命令（ＤＲＥＧ−ＣＭＤ）メッセージを伝送することによって、遊休モードに進入することもできる。
【００３８】
遊休モードにおいて端末が利用可能区間（Ａｖａｉｌａｂｌｅ  Ｉｎｔｅｒｖａｌ：ＡＩ）で自身に該当するページングメッセージ（ｐａｇｉｎｇ  ｍｅｓｓａｇｅ）を受信すると、基地局とのネットワークエントリー過程により接続モード（ｃｏｎｎｅｃｔｅｄ  ｍｏｄｅ）に切り替え、データを送受信する。
【００３９】
遊休状態（Ｉｄｌｅ  Ｓｔａｔｅ）又は遊休モード（Ｉｄｌｅ  Ｍｏｄｅ）動作とは、一般に、端末が、多重基地局で構成された無線リンク環境を移動する際、特定基地局に登録しなくてもダウンリンクブロードキャストトラフィック伝送を周期的に行えるように支援する動作のことを指す。端末は、一定時間において基地局からトラフィック（ｔｒａｆｆｉｃ）を受信しない場合、電力を節約（Ｐｏｗｅｒ  ｓａｖｉｎｇ）するために遊休状態に遷移することができる。遊休モードに遷移した端末は、利用可能区間（Ａｖａｉｌａｂｌｅ  Ｉｎｔｅｒｖａｌ、ＡＩ）において、基地局が放送する放送メッセージ（例えば、ページングメッセージ）を受信し、正規モード（ｎｏｒｍａｌ  ｍｏｄｅ）に遷移するか、又は遊休状態を維持するかを判断することができる。
【００４０】
遊休状態は、ハンドオーバーに関する活性要求及び一般的な運営要求を除去することによって、端末にいい結果をもたらすことができる。遊休状態は、端末活動を離散周期でスキャニングするように制限することによって、端末が使用する電力及び運用リソースを節約可能にすることもできる。また、遊休状態は、端末にペンディング（ｐｅｎｄｉｎｇ）中のダウンリンクトラフィックについて知らせ得る簡単で適切な方式を提供し、非活動的な端末から無線インターフェース及びネットワークハンドオーバー（ＨＯ）トラフィックを除去することによって、ネットワーク及び基地局にいい結果をもちらすこともできる。
【００４１】
ページングとは、移動通信において着信号発生時に該当の端末の位置（例えば、どの基地局か又はどの交換局かなど）を把握する機能のことを指す。遊休状態又は遊休モードを支援する複数の基地局は、特定ページンググループ（Ｐａｇｉｎｇ  Ｇｒｏｕｐ）に属してページング領域を構成することができる。このとき、ページンググループは論理的なグループを指す。ページンググループの目的は、端末をターゲット（ｔａｒｇｅｔ）とするトラフィックがある場合、ダウンリンクでページ（ｐａｇｅ）されうる隣接範囲領域を提供することにある。ページンググループは、特定端末が同一のページンググループ内で大部分の時間存在し得る程度に十分に大きく、且つページング負荷が適度のレベルを維持するように十分に小さいべきである、という条件を満たすように構成されることが好ましい。
【００４２】
ページンググループは一つ以上の基地局を含み、一つの基地局は一つ又はそれ以上のページンググループに含まれてよい。ページンググループは管理システムで定義する。ページンググループではページンググループ−実行（ａｃｔｉｏｎ）バックボーン網メッセージを用いることができる。また、ページング制御器は、バックボーン網メッセージの一つであるページング公知（ｐａｇｉｎｇ−ａｎｎｏｕｎｃｅ）メッセージを用いて、遊休状態にある端末のリストを管理し、ページンググループに属する全ての基地局の初期ペイジングを管理することができる。
【００４３】
遊休モード（ｉｄｌｅ  ｍｏｄｅ）でのペイジングは、説明の便宜のために、ＩＥＥＥ  ８０２．１６システムを基準にして説明するが、これに本発明の技術的思想が限定されるものではない。端末は、遊休モードに進入するために、基地局との登録解除を要請するための登録解除要請（ＤＲＥＧ−ＲＥＱ）メッセージを基地局に伝送する。すると、基地局は、当該ＤＲＥＧ−ＲＥＱメッセージに対する応答として登録解除応答（ＤＲＥＧ−ＲＳＰ）メッセージを端末に伝送する。この時、ＤＲＥＧ−ＲＳＰメッセージはページング情報（Ｐａｇｉｎｇ  Ｉｎｆｏｒｍａｔｉｏｎ）を含む。一方、端末の遊休モードへの進入は基地局の要請によって開始されてもよい。この場合、基地局は端末にＤＲＥＧ−ＲＳＰメッセージを伝送する。
【００４４】
上記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  ＧｒｏｕｐＩ  Ｄｅｎｔｉｆｉｅｒ）、及びページング聴取区間（Ｐａｇｉｎｇ  Ｌｉｓｔｅｎｉｎｇ  Ｉｎｔｅｒｖａｌ）値などを含むことができる。
【００４５】
基地局からＤＲＥＧ−ＲＳＰメッセージを受信した端末は、ページング情報を参照して遊休モードに進入する。遊休モードは、ページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可区間（Ｕｎａｖａｉｌａｂｌｅ  Ｉｎｔｅｒｖａｌ）で構成されるとよい。ここで、利用可能区間は、ページング聴取区間又はページング区間（ｐａｇｉｎｇ  ｉｎｔｅｒｖａｌ）と同じ概念である。ページングオフセットは、ページング周期内でページング区間が始まる時点（一例として、フレーム又はサブフレーム）を表す。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含むことができる。ここで、ページングメッセージオフセット情報は、基地局からページングメッセージが伝送される時点を表す。その後、端末はページング情報を用いて利用可能区間、すなわち、ページング聴取期間（Ｐａｇｉｎｇ  Ｌｉｓｔｅｎｉｎｇ  Ｉｎｔｅｒｖａｌ）で自身に伝達されるページングメッセージを受信することができる。ここで、ページングメッセージは、基地局又はページング制御器から伝送されればよい。すなわち、端末は、ページングメッセージを受信するためにページング周期に従って無線チャネルをモニタする。
【００４６】
遊休モードにある端末は、自身のページング聴取区間でページングメッセージを受信し、自身に伝達されるダウンリンク（ＤＬ）データがあるか確認する。もし、ダウンリンクデータがあれば（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う。その後、ＤＳＡ（Ｄｙｎａｍｉｃ  Ｓｅｒｖｉｃｅ  Ａｄｄｉｔｉｏｎ）過程により、関連のダウンリンクサービスフローに対する接続を設定する過程を行う。該サービスフローに対する接続が設定された後、基地局は端末に、当該サービスに関するダウンリンクデータを伝送する。
【００４７】
以下では説明の便宜のためにＩＥＥＥ  ８０２．１６ｅ、１６ｍ、１６ｐシステムを基準にして説明する。しかし、本発明の技術的思想がこれに限定されるものではない。
【００４８】
端末は、遊休モードに進入するために、基地局との登録解除を要請するための登録解除要請（ＤＲＥＧ−ＲＥＱ）メッセージを基地局に伝送する。すると、基地局は、ＤＲＥＧ−ＲＥＱメッセージに対する応答として登録解除応答（ＤＲＥＧ−ＲＳＰ）メッセージを端末に伝送する。この時、ＤＲＥＧ−ＲＳＰメッセージはページング情報（Ｐａｇｉｎｇ  Ｉｎｆｏｒｍａｔｉｏｎ）を含む。一方、端末の遊休モードへの進入は、基地局の要請によって開始されてもよい。この場合、基地局は端末にＤＲＥＧ−ＲＳＰメッセージを伝送する。
【００４９】
上記ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）及びページング聴取区間（Ｐａｇｉｎｇ  Ｌｉｓｔｅｎｉｎｇ  Ｉｎｔｅｒｖａｌ）値などを含むことができる。基地局からＤＲＥＧ−ＲＳＰメッセージを受信した端末は、ページング情報を参照して遊休モードに進入する。
【００５０】
遊休モードは、ページング周期（Ｐａｇｉｎｇ  Ｃｙｃｌｅ）を有し、一つのページング周期は、利用可能区間（Ａｖａｉｌａｂｌｅ  Ｉｎｔｅｒｖａｌ）及び利用不可区間（Ｕｎａｖａｉｌａｂｌｅ  Ｉｎｔｅｒｖａｌ）で構成されるとよい。ここで、利用可能区間は、ページング聴取区間又はページング区間（ｐａｇｉｎｇ  ｉｎｔｅｒｖａｌ）と同じ概念である。ページングオフセットは、ページングサイクル内でページング区間が始まる時点（一例として、フレーム又はサブフレーム）を表す。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含むことができる。ここで、ページングメッセージオフセット情報は、基地局からページングメッセージが伝送される時点を表す。
【００５１】
その後、端末は、ページング情報を用いて、利用可能区間（すなわち、ページング聴取期間（Ｐａｇｉｎｇ  Ｌｉｓｔｅｎｉｎｇ  Ｉｎｔｅｒｖａｌ））で自身に伝達されるページングメッセージを受信することができる。ここで、ページングメッセージは、基地局又はページング制御器から伝送されればよい。すなわち、端末は、ページングメッセージを受信するためにページング周期に従って無線チャネルをモニタする。
【００５２】
図２は、遊休モードでページング手順を示すフローチャートである。
【００５３】
遊休モードにある端末は、自身のページング聴取区間でページングメッセージを受信し、自身に伝達されるダウンリンク（ＤＬ）データがあるか確認する（Ｓ２１０）。もし、ダウンリンクデータがあれば（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う（Ｓ２２０）。その後、ＤＳＡ（ｄｙｎａｍｉｃ  ｓｅｒｖｉｃｅ  ａｄｄｉｔｉｏｎ）過程により、関連のダウンリンクサービスフローに対する接続を設定する過程を行う（Ｓ２３０）。該サービスフローに対する接続が設定された後、基地局は端末に該当のサービスに関するダウンリンク制御情報及びダウンリンクデータを伝送する（Ｓ２４０）。
【００５４】
Ｍ２Ｍシナリオにおいて、大部分のＭ２Ｍ機器（ｄｅｖｉｃｅ）は、携帯電話などの既存端末と違い、ユーザーが持ち歩く端末でないから、Ｍ２Ｍ機器に対する自動アプリケーション（ａｕｔｏｍａｔｉｃ  ａｐｐｌｉｃａｔｉｏｎ）又はファームウェアアップデート（ｆｉｒｍｗａｒｅ  ｕｐｄａｔｅ）過程がＭ２Ｍサービスシナリオにおいて主要なアプリケーション（ａｐｐｌｉｃａｔｉｏｎ）になることがある。例えば、各機器（ｄｅｖｉｃｅ）のファームウェア（ｆｉｒｍｗａｒｅ）をアップデートするために、Ｍ２Ｍサーバーは、該当のアプリケーション（ａｐｐｌｉｃａｔｉｏｎ）を持つＭ２Ｍ機器に、アップデート（ｕｐｄａｔｅ）された情報を伝送することができる。複数の端末に共通に伝送される必要があるこのようなマルチキャストデータ（ｍｕｌｔｉｃａｓｔ  ｄａｔａ）を、遊休モードのＭ２Ｍ機器に伝送するために、図２の実施例に係る基地局は、それらＭ２Ｍ機器をページングするはずである。ペイジングされた端末は、ランダムアクセスコード（ｒａｎｄｏｍ  ａｃｃｅｓｓ  ｃｏｄｅ）の伝送を始め、ネットワーク再進入（ｎｅｔｗｏｒｋ  ｒｅｅｎｔｒｙ）過程を行ってネットワークに接続し、基地局から伝送したダウンリンクトラフィック（ＤＬ  ｔｒａｆｆｉｃ）を受信する。これらの過程は、ネットワーク（ｎｅｔｗｏｒｋ）の無駄なリソース使用を増加させ、端末の電力消耗を増加させる問題が招くことになる。
【００５５】
このような問題点を解決するために、本発明に係るＭ２Ｍ通信において、遊休モード（Ｉｄｌｅ  Ｍｏｄｅ）の端末に、イベントトリガリング（ｅｖｅｎｔ  ｔｒｉｇｇｅｒｅｄ）方式で生成されるマルチキャストデータを伝送する時、ページング（ｐａｇｉｎｇ）方法を用いて遊休モード（ｉｄｌｅ  ｍｏｄｅ）のＭ２Ｍ機器がマルチキャストデータを效率よく受信できるようにする方法を提供する。
【００５６】
図３は、本発明の一実施例に係るＭ２Ｍ機器と基地局間のマルチキャストデータ伝送の例を示す図である。
【００５７】
図３を参照すると、基地局は、Ｍ２ＭマルチキャストデータをＭ２Ｍ機器に伝送する前に、これらＭ２Ｍ機器に、ページング聴取区間で、マルチキャストトラフィック指示（すなわち、マルチキャストデータが伝送されることを指示）を含むページングメッセージを伝送する（Ｓ３１０）。この時、ページングメッセージのＡｃｔｉｏｎ  ｃｏｄｅは、マルチキャストトラフィック指示（例えば、０ｂ１０）を示し、該当するＭ２Ｍグループ識別子（ＭＧＩＤ）を含める。Ｍ２Ｍ機器は、ページングメッセージを受信すると、ページングメッセージのグループページング部分から、自身にあらかじめ割り当てられたＭ２ＭグループＩＤ（ＭＧＩＤ）が含まれているか否か確認し、仮に、自身に割り当てられたＭＧＩＤが含まれており、且つ対応するＡｃｔｉｏｎ  ｃｏｄｅが０ｂ１０であると、Ｍ２Ｍ機器のプロセッサ１２０は、ＭＧＩＤが示すグループに対してマルチキャストトラフィック（データ）が伝送されると判断し、遊休モードを終了しないでマルチキャストトラフィックを受信するべく待機するように制御することができる。この場合、自身のページング利用不可区間（ｕｎａｖａｉｌａｂｌｅ  ｉｎｔｅｒｖａｌ）でもＭ２Ｍ機器のプロセッサ１２０は、マルチキャストデータを受信する動作（ダウンリンク制御チャネル及びマルチキャストデータデコーディング）を行うように制御する。
【００５８】
基地局がページングメッセージを伝送した直後にマルチキャストデータを伝送できない場合、基地局はページングメッセージに、該当のＭ２ＭグループＩＤ（ＭＧＩＤ）に対するマルチキャスト伝送開始（Ｍｕｌｔｉｃａｓｔ  ｔｒａｎｓｍｉｓｓｉｏｎ  ｓｔａｒｔ  ｔｉｍｅ、ＭＴＳＴ）に関する情報を含めて伝送すればよい。
【００５９】
Ｍ２Ｍ機器が自身のページング聴取区間でページングメッセージ（例えば、ＡＡＩ−ＰＡＧ−ＡＤＶメッセージ）を受信すると、Ｍ２Ｍ機器のプロセッサ１２０は、マルチキャストトラフィック指示（Ａｃｔｉｏｎ  ｃｏｄｅ＝０ｂ１０）、及び自身に割り当てられたＭ２ＭグループＩＤ（ＭＧＩＤ）があるか確認する。仮に、マルチキャストトラフィックが伝送されることを知らせるマルチキャストトラフィック指示が含まれていると、Ｍ２Ｍ機器のプロセッサ１２０は、ページングメッセージにマルチキャスト伝送開始時間情報が含まれているか確認する。マルチキャスト伝送開始時間情報がページングメッセージに含まれていると、Ｍ２Ｍ機器のプロセッサ１２０は、マルチキャスト伝送開始時間が示すフレームになるまでは電力消耗を減らすためにパワーダウン（ｐｏｗｅｒ  ｄｏｗｎ）動作を行うように制御することができる。すなわち、Ｍ２Ｍ機器のプロセッサ１２０は、ＭＴＳＴが示すフレームからマルチキャストデータを受信する動作を行うように制御する。Ｍ２Ｍ機器は、ＭＴＳＴが示すフレームでマルチキャストデータを受信する（Ｓ３２０）。
【００６０】
下記の表１は、ページングメッセージ（例えば、ＡＡＩ−ＰＡＧ−ＡＤＶメッセージ）フォーマットの一例を示すものである。
【００６１】
【表１】
0006027548.tif 000002
表１を参照すると、ページングメッセージは、ネットワーク再進入、位置更新、マルチキャスト又はトラフィック受信などを指示するアクションコード（Ａｃｔｉｏｎ  ｃｏｄｅ）を含んでいる。アクションコードが０ｂ１０とマルチキャストトラフィック受信を指示する場合に、ページングメッセージは、マルチキャスト伝送開始時間に関する情報であるマルチキャスト伝送開始時間（ＭＴＳＴ）フィールドを含むことができる。マルチキャスト伝送開始時間は、基地局がＭ２Ｍ機器にマルチキャスト伝送を始める時間（フレーム、サブフレーム、又はスーパーフレーム単位）に関する情報である。ＭＴＳＴフィールドは、例えば８ビットサイズであって、ダウンリンクマルチキャストデータを伝送し始めるフレーム番号の最下位ビット（Ｌｅａｓｔ  Ｓｉｇｎｉｆｉｃａｎｔ  Ｂｉｔ、ＬＳＢ）を示すことができる。
【００６２】
図４は、本発明の一実施例に係るＭ２Ｍ機器と基地局間のマルチキャストデータ伝送の他の例を示す図である。
【００６３】
上述した通り、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる（Ｓ４１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信することができる（Ｓ４２０）。
【００６４】
このようなシナリオにおいて、Ｍ２Ｍ機器は、マルチキャストデータが基地局からいつまで伝送されるか計らず、次のページング聴取区間までマルチキャストデータを受信する動作を行うしかない。マルチキャストデータがファームウェアアップデートのように小さいサイズのデータであると、基地局が実際にマルチキャストデータを伝送するのにはあまり時間がかからない。これは、遊休モードＭ２Ｍ機器の電力消耗を増加させる問題を発生させるだけである。特に、ページング後、基地局がまもなく小さいマルチキャストデータを伝送する場合にも、Ｍ２Ｍ機器のプロセッサ１２０は、次のページング聴取区間まで待つように（あるいは待機するように）Ｍ２Ｍ機器を制御する。
【００６５】
また、Ｍ２Ｍアプリケーション特性の上、特定Ｍ２Ｍ機器は、長いページングサイクル（ｌｏｎｇ  ｐａｇｉｎｇ  ｃｙｃｌｅ）が適用されることがあり、この場合、Ｍ２Ｍ機器の電力消耗の増加幅はより大きくなる。例えば、既存のＩＥＥＥ  ８０２．１６ｍシステムのページングサイクルが最大５１２スーパーフレームと定義され、Ｍ２Ｍ機器のためのシステム（例えば、ＩＥＥＥ  ８０２．１６ｐシステム）ではページングサイクルの最大値は、例えば、４１９４３０４スーパーフレームと定義されることがある。
【００６６】
このような遊休モードＭ２Ｍ機器が無駄に電力を消耗する問題を解決するための方法を、図５を参照して説明する。
【００６７】
図５Ａ及び図５Ｂは、本発明の一実施例に係るＭ２Ｍ機器と基地局間のマルチキャストデータ伝送の他の例を示す図である。
【００６８】
図５Ａ及び図５Ｂを参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信することができる。
【００６９】
基地局は、下記のような条件でマルチキャスト伝送終了信号（ＭＴＥ  ｓｉｇｎａｌｉｎｇ）を送ることができる。
【００７０】
１）条件１：基地局が自身の送信バッファー（ＴＸ  ｂｕｆｆｅｒ）に該当のマルチキャストグループ／マルチキャスト接続（ｍｕｌｔｉｃａｓｔ  ｇｒｏｕｐ／ｍｕｌｔｉｃａｓｔ  ｃｏｎｎｅｃｔｉｏｎ）に対する最後のデータを有する場合
２）条件２：基地局がネットワークのあるエンティティ（ｅｎｔｉｔｙ）から該当のマルチキャストグループ／マルチキャスト接続に対してデータ伝送が終わったという信号を受信した場合
３）条件３：基地局が特定マルチキャストグループに対するデータをＭ２Ｍ機器に伝送した後、特定時間内にネットワークから同じグループに属したデータを受信できなかった場合。すなわち、特定時間の間に送信バッファー（ＴＸ  ｂｕｆｆｅｒ）が同じマルチキャストデータを有していない場合
図５Ａに示すように、基地局は、マルチキャストデータが全て伝送されたと判断した時には、マルチキャストデータ伝送の終了を知らせる信号（例えば、ＭＴＥ（Ｍｕｌｔｉｃａｓｔ  Ｔｒａｎｓｍｉｓｓｉｏｎ  Ｅｎｄ）信号）を別途にＭ２Ｍ機器に伝送することができる。遊休モードにあるＭ２Ｍ機器がマルチキャストデータを受信している中、基地局からマルチキャストデータ伝送の終了を知らせる信号を受信すると、直ちにＭ２Ｍ機器のプロセッサ１２０はページング利用不可区間（ｐａｇｉｎｇ  ｕｎａｖａｉｌａｂｌｅ  ｉｎｔｅｒｖａｌ）に入り、電力消耗を減らす動作を行うことができる。
【００７１】
条件１の場合、図５Ｂに示すように、基地局は、自身のバッファーの最後のデータを伝送する時点に、最後のデータと共にＭＴＥ信号をＭ２Ｍ機器に伝送することができる。条件２でも、基地局がネットワークエンティティからマルチキャストデータを受信する中、データ伝送終了を知らせる信号を共に受信すると、基地局は、該当のマルチキャストデータを伝送する時、ＭＴＥ信号を併せてＭ２Ｍ機器に伝送することができる。このように、基地局がＭＴＥ信号をマルチキャストデータと共に伝送する場合には、マルチキャストデータにピギーバック（ｐｉｇｇｙｂａｃｋ）したり連続するようにして（ｃｏｎｃａｔｅｎａｔｉｏｎ）ＭＴＥ信号を伝送することができる。ピギーバックして伝送する場合には、サブヘッダー（ｓｕｂｈｅａｄｅｒ）や拡張ヘッダー（Ｅｘｔｅｎｄｅｄ  ｈｅａｄｅｒ）フォーマットで伝送すればよい。
【００７２】
図６は、本発明の一実施例に係るＭ２Ｍ機器と基地局間のマルチキャストデータ伝送の他の例を示す図である。
【００７３】
図６を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる（Ｓ６１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信することができる（Ｓ６２０乃至Ｓ６３０）。その後、基地局は、最後のマルチキャストデータとマルチキャストデータ伝送の終了を知らせる信号（例えば、ＭＴＥ（Ｍｕｌｔｉｃａｓｔ  Ｔｒａｎｓｍｉｓｓｉｏｎ  Ｅｎｄ）信号）とをＭ２Ｍ機器に併せて伝送することができる（Ｓ６４０）。ここで、ＭＴＥ信号は、下記の表２のようにマルチキャスト伝送終了拡張ヘッダー（Ｍｕｌｔｉｃａｓｔ  ｔｒａｎｓｍｉｓｓｉｏｎ  ｅｎｄ  ｅｘｔｅｎｄｅｄ  ｈｅａｄｅｒ、ＭＴＥＥＨ）フォーマットで伝送されてよい。下記の表２に、ＭＴＥＥＨフォーマットの一例を表す。
【００７４】
【表２】
0006027548.tif 000003
表２を参照すると、ＭＴＥＥＨフォーマットは、タイプ（ｔｙｐｅ）フィールドを用いてマルチキャスト伝送が終わったことを示し、どのようなマルチキャスト情報であるかを表すために、関連したマルチキャスト接続に対するＭ２ＭグループＩＤ及びＦＩＤなどのうち一つ以上を含むことができる。また、ＭＴＥＥＨフォーマットは、Ｍ２Ｍ機器がＭＴＥＥＨを受信していつから以前遊休モードパラメータを用いて遊休モードを再開できるかを示す遊休モード再開開始フレーム（ｉｄｌｅ  ｍｏｄｅ  ｒｅｓｕｍｉｎｇ  ｓｔａｒｔ  ｆｒａｍｅ）情報を含むことができる。すなわち、遊休モード再開開始フレームフィールドが示すフレームが以前遊休モードパラメータを使用した時、Ｍ２Ｍ機器のページング利用不可区間であると、Ｍ２Ｍ機器は電力消耗を減らすために利用不可区間に入り、電力消耗を減らす動作を行うことができる。遊休モード再開開始フレーム情報が含まれていないと、Ｍ２Ｍ機器は直ちに利用不可区間に入ることとなる。このとき、遊休モード再開開始フレームフィールドは、以前の遊休モードパラメータを使用することによって遊休モードを再開するＭ２Ｍ機器のフレーム番号の最下位ビット（例えば、４ビット）を指示することができる。
【００７５】
このＭＴＥＥＨは、ＩＥＥＥ  ８０２．１６ｅシステムではサブヘッダー形態（すなわち、ＭＴＥサブヘッダー）又は拡張サブヘッダー（すなわち、ＭＴＥ拡張サブヘッダー）形態で使用されればよく、含まれる情報は類似であろう。この場合、ＦＩＤに代えてＣＩＤ（Ｃｏｎｎｅｃｔｉｏｎ  ＩＤｅｎｔｉｆｉｅｒ）が含まれるだろう。
【００７６】
図７は、本発明の一実施例に係るＭ２Ｍ機器と基地局間のマルチキャストデータ伝送の他の例を示す図である。
【００７７】
図７を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる（Ｓ７１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信することができる（Ｓ７２０乃至Ｓ７３０）。その後、基地局は、最後のマルチキャストデータをＭ２Ｍ機器に伝送した後（Ｓ７４０）、マルチキャストデータ伝送終了指示を、ＭＡＣ制御メッセージの一種であるＡＡＩ−ＭＴＥ−ＩＮＤメッセージ又はマルチキャスト伝送終了指示ヘッダーを用いてＭ２Ｍ機器に知らせることができ、この時、ＡＡＩ−ＭＴＥ−ＩＮＤメッセージ又はマルチキャスト伝送終了指示ヘッダーは、Ｍ２ＭグループＩＤ、ＦＩＤを含むことができる（Ｓ７５０）。Ｍ２Ｍ機器が、マルチキャストデータ伝送が終了したことを知らせる指示子を受信すると、以降、Ｍ２Ｍ機器のプロセッサ１２０は、Ｍ２Ｍ機器が利用不可区間に入るように制御する。
【００７８】
このように、上述した条件３のような時点で基地局はマルチキャスト伝送終了（ＭＴＥ）信号をＭ２Ｍ機器に送る時、ＭＡＣ制御メッセージ形態やシグナリングヘッダー形態で伝送することができる。下記の表３に、ＭＴＥ信号を伝達するＭＡＣ制御メッセージの一種であるＡＡＩ−ＭＴＥ−ＩＮＤメッセージフォーマットの一例を表す。
【００７９】
【表３】
0006027548.tif 000004
表３を参照すると、表２と同様に、ＡＡＩ−ＭＴＥ−ＩＮＤ  ＭＡＣ制御メッセージフォーマットには、Ｍ２ＭグループＩＤフィールド、ＦＩＤフィールド及び遊休モード再開開始フレームフィールドなどが含まれるとよい。Ｍ２Ｍ機器は、ＡＡＩ−ＭＴＥ−ＩＮＤメッセージを受信すると、遊休モード再開開始フレームフィールドが指示するフレームで遊休モードに入る。
【００８０】
このＡＡＩ−ＭＴＥ−ＩＮＤメッセージは、ＩＥＥＥ  ８０２．１６ｅシステムでも類似のＭＡＣ制御メッセージとすることができ、含まれる情報は類似であろう。このとき、ＭＧＩＤやＦＩＤに代えてＣＩＤ（Ｃｏｎｎｅｃｔｉｏｎ  ＩＤｅｎｔｉｆｉｅｒ）が含まれるだろう。これを反映したＩＥＥＥ  ８０２．１６ｅシステムのＭＡＣ制御メッセージ（例えば、ＭＯＢ＿ＭＴＥ−ＩＮＤメッセージ）は、下記表４の通りである。
【００８１】
下記表４は、ＩＥＥＥ  ８０２．１６ｅシステムにおけるＭＯＢ＿ＭＴＥ−ＩＮＤメッセージの一例を示す。
【００８２】
【表４】
0006027548.tif 000005
上記表４を参照すると、ＭＯＢ＿ＭＴＥ−ＩＮＤメッセージは、ＭＧＩＤやＦＩＤに代えてＭ２Ｍ接続識別子（Ｍ２ＭＣＩＤ）フィールド、及び遊休モード再開開始フレームフィールドを含むことができる。同様に、Ｍ２Ｍ機器は、ＭＯＢ＿ＭＴＥ−ＩＮＤメッセージを受信すると、遊休モード再開開始フレームフィールドが指示するフレームで遊休モードに入る。
【００８３】
一方、ＡＡＩ−ＭＴＥ−ＩＮＤメッセージやＭＯＢ＿ＭＴＥ−ＩＮＤメッセージが放送（ｂｒｏａｄｃａｓｔ）されるとすれば、メッセージを伝送する時点に一つ以上のマルチキャスト接続（ｍｕｌｔｉｃａｓｔ  ｃｏｎｎｅｃｔｉｏｎ）に対して終了指示子を知らせる場合、関連したＭＡＣ制御メッセージ、サブヘッダー／拡張ヘッダー、シグナリングヘッダーは、一つ以上のＭ２ＭグループＩＤ（すなわち、Ｍ２ＭグループＩＤ（ＭＧＩＤ））又はＭ２Ｍ接続識別子（Ｍ２ＭＣＩＤ）を含むことができる。
【００８４】
下記の表５及び表６は、それぞれ、マルチキャストデータ（Ｍｕｌｔｉｃａｓｔ  ｄａｔａ）伝送終了を表すＭ２ＭグループＩＤを一つ以上含むＡＡＩ−ＭＴＥ−ＩＮＤメッセージ及びＭＯＢ＿ＭＴＥ−ＩＮＤメッセージの一例を表すものである（表５はＡＡＩ−ＭＴＥ−ＩＮＤメッセージ、表６はＭＯＢ＿ＭＴＥ−ＩＮＤメッセージ）。
【００８５】
【表５】
0006027548.tif 000006
【００８６】
【表６】
0006027548.tif 000007
下記の表７には、ＭＴＥ信号を伝達するシグナリングヘッダーであるマルチキャスト伝送終了指示ヘッダーフォーマットの一例を示す。
【００８７】
【表７】
0006027548.tif 000008
表７を参照すると、マルチキャスト伝送終了指示ヘッダーフォーマットは、ＦＩＤフィールド、マルチキャスト伝送終了指示ヘッダーを示すタイプフィールド、長さを示す長さフィールド、Ｍ２ＭグループＩＤフィールド、マルチキャスト接続に対するＩＤに該当するＦＩＤを示すＦＩＤフィールド、遊休モード再開開始フレームフィールドを含むことができる。
【００８８】
このようなＡＡＩ−ＭＴＥ−ＩＮＤメッセージやマルチキャスト伝送終了指示ヘッダーは、ＩＥＥＥ  ８０２．１６システムの他、３ＧＰＰ  ＬＴＥ、ＬＴＥ−Ａシステムでも同様に適用可能である。
【００８９】
図８は、本発明の一実施例に係るＭ２Ｍ機器と基地局間のマルチキャストデータ伝送の他の例を示す図である。
【００９０】
図８を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる（Ｓ８１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストトラフィックを受信するべく待機するように制御し、Ｍ２Ｍ機器は、マルチキャストトラフィックを受信することができる（Ｓ８２０乃至Ｓ８３０）。その後、基地局は最後のマルチキャストデータをＭ２Ｍ機器に伝送した後（Ｓ８４０）、マルチキャストデータ伝送終了指示信号（ＭＴＥ信号）を物理層シグナリング（ＰＨＹ  ｓｉｇｎａｌｉｎｇ）の形態で伝送してもよい（Ｓ８５０）。基地局は、ダウンリンク制御チャネルであるＡ−ＭＡＰ  ＩＥの形態でＭＴＥ指示子をＭ２Ｍ機器に伝送してもよい（Ｓ８５０）。Ｍ２Ｍ機器が、マルチキャストデータ伝送が終了したことを知らせる指示子を受信すると、以降、Ｍ２Ｍ機器のプロセッサ１２０は、Ｍ２Ｍ機器が利用不可区間に入るように制御する。
【００９１】
下記の表８は、マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）フォーマットの一例を示すものである。
【００９２】
【表８】
0006027548.tif 000009
表８を参照すると、マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）は、Ｍ２Ｍ機器の属したＭ２ＭグループＩＤを示すＭ２ＭグループＩＤフィールド、マルチキャスト接続に対するＩＤを示すＦＩＤフィールド、遊休モード再開開始フレームフィールドを含むことができる。マルチキャスト伝送終了指示Ａ−ＭＡＰ  ＩＥ（Ｍｕｌｔｉｃａｓｔ  Ｔｒａｎｓｍｉｓｓｉｏｎ  Ｅｎｄ  Ｉｎｄｉｃａｔｉｏｎ  Ａ−ＭＡＰ  ＩＥ）は、最後のマルチキャストデータと同じバースト（ｂｕｒｓｔ）又は同じフレーム又は以前時点で伝送されてもよい。開始フレームとは、Ｍ２Ｍ機器がマルチキャストデータ受信を中止し、利用不可区間（ｕｎａｖａｉｌａｂｌｅ  ｉｎｔｅｒｖａｌ）に入るフレームのことを指す。
【００９３】
一方、基地局は、物理層シグナリングでダウンリンク制御チャネル（例えば、Ａ−ＭＡＰ  ＩＥ形態）にＭＴＥ指示子を含めてＭ２Ｍ機器に伝送してもよい。例えば、基地局は、最後のマルチキャストデータのダウンリンクリソースを割り当てるためのＭＡＰ  ＩＥに、当該データが最後のデータであるかを示す指示子を含め、最後のデータであると、該当のビットを、例えば、１に設定することができる。このようなＭＡＰ  ＩＥの一例として放送割当Ａ−ＭＡＰ  ＩＥ（ｂｒｏａｄｃａｓｔ  ａｓｓｉｇｎｍｅｎｔ  Ａ−ＭＡＰ  ＩＥ）を挙げることができる。
【００９４】
下記の表９は、Ｍ２Ｍマルチキャストデータを伝送するための放送割当Ａ−ＭＡＰ  ＩＥの一例を表し、最後のマルチキャストデータを示す指示子（ｉｎｄｉｃａｔｏｒ）も含まれる。
【００９５】
図９は、本発明の一実施例に係るＭ２Ｍ機器と基地局間のマルチキャストデータ伝送の他の例を示す図である。
【００９６】
図９を参照すると、遊休モードにあるＭ２Ｍ機器が聴取区間（又は利用可能区間）の間に、基地局から、マルチキャストトラフィック伝送を指示するマルチキャストトラフィック指示子（例えば、Ａｃｔｉｏｎ  ｃｏｄｅ＝０ｂ１０）と、マルチキャストトラフィック（あるいはマルチキャストデータ）を受信するグループ情報（例えば、Ｍ２ＭグループＩＤ）とを含むページングメッセージを受信することができる（Ｓ９１０）。この時、受信したＭ２ＭグループＩＤ情報が自身の属したグループに該当すると、Ｍ２Ｍ機器のプロセッサ１２０は、Ｍ２Ｍ機器がネットワーク再進入なしにマルチキャストデータを受信するべく待機するように制御し、Ｍ２Ｍ機器は、マルチキャストデータと放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）を受信することができる（Ｓ９２０）。この時、放送割当Ａ−ＭＡＰ  ＩＥに含まれたＭＴＥ指示子が０に設定され、継続してマルチキャストデータが伝送されることを指示する。その後、基地局は、マルチキャストデータと放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）をＭ２Ｍ機器に伝送する（Ｓ９３０）。この時にも、放送割当Ａ−ＭＡＰ  ＩＥに含まれたＭＴＥ指示子が０に設定され、継続してマルチキャストデータが伝送されることを指示することができる。
【００９７】
このようなマルチキャストデータ伝送を繰り返してから、基地局は、マルチキャストデータと、最後のマルチキャスト伝送であることを知らせるＭＴＥ指示子（この場合、ＭＴＥ指示子は１に設定される）を含む放送割当Ａ−ＭＡＰ  ＩＥ（Ｂｒｏａｄｃａｓｔ  Ａｓｓｉｇｎｍｅｎｔ  Ａ−ＭＡＰ  ＩＥ、ＢＡＡ−ＭＡＰ  ＩＥ）とをＭ２Ｍ機器に伝送する（Ｓ９４０）。マルチキャストデータと、最後のマルチキャスト伝送であることを知らせるＭＴＥ指示子を含む放送割当Ａ−ＭＡＰ  ＩＥとを受信したＭ２Ｍ機器は、再び遊休モードに入る。
【００９８】
下記の表９は、放送割当Ａ−ＭＡＰ  ＩＥの一例を表すものである。
【００９９】
【表９】
0006027548.tif 000010
表９を参照すると、放送割当Ａ−ＭＡＰ  ＩＥ（Ｂｒｏａｄｃａｓｔ  ａｓｓｉｇｎｍｅｎｔ  Ａ−ＭＡＰ  ＩＥ）は、Ａ−ＭＡＰ  ＩＥタイプを指示するＡ−ＭＡＰ  ＩＥ  ｔｙｐｅフィールド、この放送割当Ａ−ＭＡＰ  ＩＥの機能を示すＦｕｎｃｔｉｏｎ  ｉｎｄｅｘフィールドを含むことができ、このＦｕｎｃｔｉｏｎ  ｉｎｄｅｘフィールドが、Ｍ２Ｍアプリケーションのためのマルチキャスト割当Ａ−ＭＡＰ  ＩＥであるということを示す場合に、マルチキャストデータのリソース割当のための情報（例えば、バーストサイズ（ｂｕｒｓｔ  ｓｉｚｅ）フィールド、リソースインデックス（ｒｅｓｏｕｒｃｅ  ｉｎｄｅｘ）フィールド、ｌｏｎｇ＿ＴＴＩ＿Ｉｎｄｉｃａｔｏｒフィールドなど）、マルチキャスト伝送終了指示子（すなわち、最後のマルチキャストデータが伝送されることを知らせる指示子）（Ｍｕｌｔｉｃａｓｔ  ｔｒａｎｓｍｉｓｓｉｏｎ  ｅｎｄ  ｉｎｄｉｃａｔｏｒ）フィールド、及びＭ２ＭグループＩＤを示すＭ２ＭグループＩＤフィールドをさらに含むことができる。
【０１００】
最後のマルチキャストデータ伝送において放送割当Ａ−ＭＡＰ  ＩＥのマルチキャスト伝送終了指示子（Ｍｕｌｔｉｃａｓｔ  ｔｒａｎｓｍｉｓｓｉｏｎ  ｅｎｄ  ｉｎｄｉｃａｔｏｒ）フィールドは１に設定され、Ｍ２Ｍ機器が、マルチキャスト伝送終了指示子フィールドが１に設定された放送割当Ａ−ＭＡＰ  ＩＥを受信すると、最後のマルチキャストデータを受信し、直ちに遊休モード又は利用不可区間（ｕｎａｖａｉｌａｂｌｅ  ｉｎｔｅｒｖａｌ）に入る。この方法は、マルチキャスト伝送終了指示子がＭＡＣ制御メッセージや拡張されたヘッダー形態で伝送される時に比べて、Ｍ２Ｍ機器がマルチキャストデータに対するＭＰＤＵ（ＭＡＣ  ｐｒｏｔｏｃｏｌ  ｄａｔａ  ｕｎｉｔ）とマルチキャスト伝送終了指示子を含むＭＡＣ制御メッセージ又は拡張ヘッダーのデコーディングを完了するまで無駄に他のＯＦＤＭＡシンボルをバッファリングをしなくて済むという利点がある。すなわち、この場合、最後のマルチキャストデータが含まれたサブフレームまでのみＯＦＤＭＡシンボルをバッファリングし、マルチキャストデータのデコーディングが完了しなくても、次のサブフレームでＯＦＤＭＡシンボルをバッファリングしなくても良い。
【０１０１】
上述した様々なメッセージフォーマットにおいてＭ２ＭグループＩＤ（ＭＧＩＤ）のビットサイズを１２ビット又は１５ビットと記載したが、ＭＧＩＤが１２ビットと記載されたメッセージフォーマットにおいて１５ビットに変更してもよく、逆に、１５ビットと記載されたメッセージフォーマットにおいて１２ビットサイズに変更してもよい。また、ＭＧＩＤはＭ２Ｍ機器のグループを識別可能にするものであれば充分であるため、必ずしも１２ビットや１５ビットに制限されない。
【０１０２】
以上、Ｍ２Ｍ機器と基地局間のマルチキャストデータ伝送に関する様々な実施例を説明した。すなわち、以上ではマルチキャストデータに適用されるとして記述してきたが、ユニキャストデータ、ブロードキャストデータなどにも適用可能である。また、Ｍ２Ｍ機器と基地局間のマルチキャストデータ伝送に関して説明してきたが、ＨＴＣ（Ｈｕｍａｎ  Ｔｙｐｅ  Ｃｏｍｍｕｎｉｃａｔｉｏｎ）機器（すなわち、移動端末）にも適用可能である。
【０１０３】
また、以上ではＩＥＥＥ  ８０２．１６ｍシステムで使用されるメッセージフォーマットを用いて本発明に係る実施例を説明してきたが、このようなメッセージフォーマットの名称に限定されるものではなく、これらメッセージフォーマットと呼称や名称は異なるものの、同じ機能を果たす３ＧＰＰ  ＬＴＥ、ＬＴＥ−Ａシステムにおけるメッセージフォーマットなども適用可能である。
【０１０４】
本発明の様々な実施例によれば、Ｍ２Ｍ機器にマルチキャストトラフィックを伝送する時、Ｍ２Ｍ機器と基地局間の無駄なシグナリングオーバーヘッドをなくし、Ｍ２Ｍ機器の電力消耗を最小化し、リソース浪費を防ぐことができる。
【０１０５】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１０６】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【産業上の利用可能性】
【０１０７】
Ｍ２Ｍ機器が基地局からマルチキャストデータを受信する方法は、３ＧＰＰ  ＬＴＥ、ＬＴＥ−Ａ、ＩＥＥＥ  ８０２．１６などの種々の通信システムにおいて産業上利用可能である。
【図１】
0006027548.tif 000011
【図２】
0006027548.tif 000012
【図３】
0006027548.tif 000013
【図４】
0006027548.tif 000014
【図５Ａ】
0006027548.tif 000015
【図５Ｂ】
0006027548.tif 000016
【図６】
0006027548.tif 000017
【図７】
0006027548.tif 000018
【図８】
0006027548.tif 000019
【図９】
0006027548.tif 000020